(57)【要約】【課題】火花に対する養生を安価に行う。【解決手段】溶接作業又は溶断作業の際に発生する火花を受ける火花養生材１１であって、金属繊維からなる金属繊維集合体１５を備え、金属繊維集合体１５の内部で火花を金属繊維に衝突させて火花の軌道を変化させることにより火花を冷却又は消失させる。【選択図】図１
2020189329.tif 000002
【特許請求の範囲】
【請求項１】
溶接作業又は溶断作業に用いる火花養生材であって、
金属繊維からなる金属繊維集合体を備え、前記金属繊維集合体の内部で火花を前記金属繊維に衝突させて前記火花の軌道を変化させることにより前記火花を冷却又は消失させる
火花養生材。
【請求項２】
前記金属繊維集合体は、複数の可撓性を有するブロック体から構成され、隣り合う前記ブロック体が連結されたものである
請求項１に記載の火花養生材。
【請求項３】
可撓性を有し、前記金属繊維集合体を覆う金網をさらに備える
請求項１又は２に記載の火花養生材。
【請求項４】
可撓性を有し、前記金属繊維集合体に貫通された複数の金属線材をさらに備える
請求項１又は２に記載の火花養生材。
【請求項５】
前記金属繊維集合体の厚さは、３ｃｍ以上１０ｃｍ以下であり、空隙率は９５％以上１００％未満である
請求項１〜４のいずれか１項に記載の火花養生材。
【請求項６】
溶接作業又は溶断作業の際に発生する火花の飛散を抑制する火花養生方法であって、
溶接作業又は溶断作業が行われる作業位置の周りに、金属繊維からなる金属繊維集合体を配置し、前記金属繊維集合体の内部で火花を前記金属繊維に衝突させて前記火花の軌道を変化させることにより前記火花を冷却又は消失させる
火花養生方法。
【発明の詳細な説明】
【技術分野】
【０００１】
本発明は火花養生材及び火花養生方法に関する。
【背景技術】
【０００２】
溶接作業が行われるにあたり、作業中に発生する火花に対する養生として耐火シートや防火シートで作業位置の周囲を覆う方法等が行われている。この従来の方法に加え、火花の飛散を防止する養生装置を用いた方法が提案されている（例えば、特許文献１参照）。この養生装置は、傘状の火花受け部と、火花受け部を支持する棒状本体部と、棒状本体部の先端に設けられたフック部を備える。火花受け部の骨格となるリブは伸縮可能であり、リブには耐火シートが番線等で取り付けられている。溶接作業を行う際は、配管等にフック部を引っ掛けて、作業位置の下方に火花受け部を配置することにより、落下する火花を受け止める。
【先行技術文献】
【特許文献】
【０００３】
【特許文献１】特開２００８−２２９６８５号公報
【発明の概要】
【発明が解決しようとする課題】
【０００４】
上記養生装置は、火花受け部のリブ等にコストがかかる。このため、より安価に火花に対する養生を行うことのできる方法が求められている。
本発明は、上記実情に鑑みてなされたものであり、溶接作業等で発生する火花に対する養生を安価に行うことを目的とする。
【課題を解決するための手段】
【０００５】
上記課題を解決する火花養生材は、溶接作業又は溶断作業に用いる火花養生材であって、金属繊維からなる金属繊維集合体を備え、前記金属繊維集合体の内部で火花を前記金属繊維に衝突させて前記火花の軌道を変化させることにより前記火花を冷却又は消失させる。
【０００６】
上記課題を解決する火花養生方法は、溶接作業又は溶断作業の際に発生する火花の飛散を抑制する火花養生方法であって、溶接作業又は溶断作業が行われる作業位置の周りに、金属繊維からなる金属繊維集合体を配置し、前記金属繊維集合体の内部で火花を前記金属繊維に衝突させて前記火花の軌道を変化させることにより前記火花を冷却又は消失させる。
【０００７】
上記構成によれば、火花養生材は、金属繊維集合体を備えるシンプルな構成であるため、安価に製造することができる。また、火花養生材は、内部に侵入した火花を、金属繊維に衝突させながらその軌道を変化させることによって冷却又は消失させるため、火花の跳ね返りを抑制することができる。
【０００８】
上記火花養生材は、前記金属繊維集合体は、複数の可撓性を有するブロック体から構成され、隣り合う前記ブロック体が連結されたものであることが好ましい。
上記構成によれば、取り扱い易いブロック体を用いるため、所望の大きさ及び形状にすることができる。
【０００９】
上記火花養生材は、可撓性を有し、前記金属繊維集合体を覆う金網をさらに備えることが好ましい。
上記構成によれば、作業に応じて金網を曲げることができるため、火花養生材が火花を受け止めやすくなる。また、火花は金網を通過するため、金属繊維集合体によって火花を受け止めることができる。
【００１０】
上記火花養生材は、可撓性を有し、前記金属繊維集合体に貫通された複数の金属線材をさらに備えることが好ましい。
上記構成によれば、金属線材で金属繊維集合体を支持しつつ、金属線材を曲げることによって金属繊維集合体も変形させることができる。このため、火花養生材を、溶接作業又は溶断作業の際に生じる火花を受け止めやすく変形させることができる。
【００１１】
上記火花養生材について、前記金属繊維集合体の厚さは、３ｃｍ以上１０ｃｍ以下であり、空隙率は９５％以上１００％未満であることが好ましい。
上記構成によれば、金属繊維集合体が、上記の厚さ及び空隙率であることにより、火花を、金属繊維に衝突させながらその軌道を変化させることによって冷却又は消失させることができる。
【発明の効果】
【００１２】
本発明によれば、溶接作業等で発生する火花に対する養生を安価に行うことができる。
【図面の簡単な説明】
【００１３】
【図１】火花養生材及び火花養生方法の第１実施形態であって火花養生材の正面図。
【図２】同実施形態の火花養生材の側面図。
【図３】同実施形態の火花養生方法を示す模式図であって、火花が金属繊維に衝突することにより軌道を変化させながら冷却又は消失する状態を示す図。
【図４】火花養生材及び火花養生方法の第２実施形態であって火花養生材の正面図。
【図５】同実施形態の火花養生方法を示す模式図であって、火花が金属繊維に衝突することにより軌道を変化させながら冷却又は消失する状態を示す図。
【図６】火花養生材及び火花養生方法の他の実施形態を示す模式図。
【発明を実施するための形態】
【００１４】
（第１実施形態）
以下、火花養生材及び火花養生方法の第１実施形態について説明する。
図１に示すように、火花養生材１１は、支持体１２と、複数の金属繊維圧縮体１３からなる金属繊維集合体１５とを備える。支持体１２は、金属線材を用いた金網からなる。金網は、線材から形成されたもののほか、金属板を加工したものでもよく、例えば網目の大きい織金網、亀甲金網等を用いることができる。支持体１２は、直方体又は立方体の形状に形成され、その内側に金属繊維集合体１５を収容している。
【００１５】
金属繊維圧縮体１３は、金属繊維を圧縮したものであって、例えばタワシとして用いられる市販のスチールウールを使用することができる。金属繊維は、繊維状であって押圧力を加えることにより圧縮できるものであればよいが、繊維径（断面直径）が０．１３ｍｍ以上０．１８ｍｍ以下であるものが好ましい。また、金属繊維圧縮体１３は空隙を有していることが必須条件であるが、その条件を満たした上で、密度が０．０５ｇ／ｃｍ３以上０．５ｇ／ｃｍ３以下であり、空隙率が９５％以上１００％未満であることが好ましい。なお、空隙率は、金属繊維圧縮体１３の構成材料（ステンレス鋼）の密度に対する金属繊維圧縮体１３の密度の百分率を求め、「１００％」からこの百分率を減算して求めた。また、金属繊維は、主成分がステンレスであり、クロム、ニッケル等の他の金属元素を含んでいてもよい。又は、金属繊維の主成分は鉄等の他の金属であってもよい。また、金属繊維圧縮体１３の１つあたりの重量は、特に限定されないが、１０ｇ以上１００ｇ以下であると、火花養生材１１の作製が容易である。
【００１６】
金属繊維圧縮体１３の例の各々は以下の通りである。但し、金属繊維圧縮体１３はこれらの例に限定されない。
【００１７】
【表１】
2020189329.tif 000003
複数の金属繊維圧縮体１３は、支持体１２の内部の空間を埋めるように縦方向及び横方向に面状に並べられている。金属繊維圧縮体１３は、支持体１２に収容された後、隣接する金属繊維圧縮体１３との間に生じる隙間や、金属繊維圧縮体１３自体に火花が通過する孔が形成されないように、金属繊維圧縮体１３を押し広げたり、隙間に金属繊維圧縮体１３が充填されたりする等の調整が施される。このとき、火花養生材１１を正面からみて、正面から背面に貫通する孔が形成されないことが好ましい。
【００１８】
図２に示すように、金属繊維圧縮体１３は、支持体１２の厚み方向に１層分設けられている。火花養生材１１の厚みＤは、３ｃｍ以上１０ｃｍ以下であることが好ましい。厚みＤが３ｃｍ未満となると、火花が火花養生材１１を通り抜ける可能性がある。また、厚みＤが１０ｃｍを超えると、火花養生材１１が重くなり、持ち運びや作業位置への設置のしやすさの点で劣ってしまう。
【００１９】
（作用）
次に図３を参照して、火花養生材１１の作用について、火花養生方法の手順とともに説明する。溶接作業（又は溶断作業）を行う場合、溶接対象物１０１の溶接位置の周囲に火花養生材１１を設置する。火花養生材１１は、面積が広い正面を溶接位置１００に向け、溶接位置１００の周囲を囲むように、支持体１２を曲げる。これに伴い、支持体１２に収容された金属繊維集合体１５も支持体１２の形状に合わせて変形する。
【００２０】
図３に示した火花は、火花養生材１１に受け止められる直前から、火花養生材１１内でその軌道を変化させながら冷却又は消失するまでの過程を示している。溶接により発生した火花は、放射状に飛散し、火花養生材１１に受け止められる。火花養生材１１に侵入した火花は、金属繊維と衝突しながら軌道を変化させるうちに、冷却又は消失する。このため、火花の跳ね返りを抑制することができる。さらに、溶接作業で生じた煙や熱は、金属繊維圧縮体１３の空隙を介して、火花養生材１１の裏面から放出される。
【００２１】
次に、第１実施形態の効果について説明する。
（１）火花養生材１１は、金属繊維集合体１５を備えるシンプルな構成であるため、安価に製造することができる。また、火花養生材１１は、内部に侵入した火花を、金属繊維に衝突させながらその軌道を変化させることによって冷却又は消失させるため、火花の跳ね返りを抑制することができる。また、火花養生材１１は軽量であるため、持ち運びしやすく、溶接作業等が行いやすい。
【００２２】
（２）複数の金属繊維圧縮体１３を金網からなる支持体１２で支持したため、溶接作業又は溶断作業に応じて、支持体１２を曲げることによって金属繊維集合体１５も変形させることができる。このため、火花養生材１１を、溶接作業又は溶断作業の際に生じる火花を受け止めやすく変形させることができる。
【００２３】
（３）金属繊維集合体１５の厚さは、３ｃｍ以上１０ｃｍ以下であり、空隙率は９５％以上１００％未満であるため、溶接作業等で発生したほとんどの火花を、金属繊維に衝突させながらその軌道を変化させることによって冷却又は消失させることができる。
【００２４】
（第２実施形態）
次に、火花養生材及び火花養生方法の第２実施形態を説明する。なお、第２実施形態では、支持体の構成が第１実施形態と異なる。以下、第１実施形態と同様の部分については同一符号を付してその詳細な説明を省略する。
【００２５】
図４に示すように、火花養生材１１は、複数の金属繊維圧縮体１３に、金属の線材１４からなる支持体１２を貫通させて金属繊維圧縮体１３を支持するものである。複数の線材１４は、互いに交差するように設けられ、線材１４の交差部分には、金属繊維圧縮体１３が配置されている。また、金属繊維圧縮体１３は、隣接する金属繊維圧縮体１３との間に生じる隙間を埋めるように押し広げられることが好ましい。
【００２６】
図５に示すように、溶接作業（又は溶断作業）を行う場合には、作業位置を囲むように、支持体１２を曲げる。このとき、支持体１２を構成する線材１４は１本ずつ曲げることが可能であり、金属繊維圧縮体１３自体も１つずつその形状を変形させることができる。図５に示した火花は、火花養生材１１に受け止められる直前から、火花養生材１１内で冷却又は消失するまでの過程を示している。この火花養生材１１においても第１実施形態と同様に、金属繊維と衝突しながら軌道を変化させるうちに、冷却又は消失する。
【００２７】
以上説明したように、第２実施形態によれば、第１実施形態の（１），（３）に記載の効果に加えて以下の効果が得られる。
（４）複数の金属繊維圧縮体１３を線材１４で支持したため、線材１４を曲げることによって金属繊維圧縮体１３も変形させることができる。このため、火花養生材１１を、溶接作業又は溶断作業の際に生じる火花を受け止めやすく変形させることができる。
【００２８】
上記各実施形態は、以下のように変更して実施することができる。上記実施形態及び以下の変更例は、技術的に矛盾しない範囲で互いに組み合わせて実施することができる。
・上記各実施形態では、火花養生材１１の正面側及び背面側を同じ構成とした。これに代えて、火花養生材１１の正面側及び背面側の構成を異なる構成としてもよい。
【００２９】
例えば、図６に示すように、火花養生材１１の背面側に金属板２０を設けてもよい。このように金属板２０を設けることによって、火花養生材１１の剛性を高めることができる。なお、火花養生材１１の背面に金属板２０を設ける場合には煙や熱の放出を妨げないようにすることが好ましい。その態様として、例えば、火花養生材１１と金属板２０との間に隙間を設ける、又は火花養生材１１の一部のみを金属板２０で覆うようにする態様等がある。また、火花養生材１１の両端部を作業位置側に曲げることによって、床面に安定した姿勢で設置することができる。また、この態様において、複数の火花養生材１１を、作業位置を囲むように連結させてもよい。
【００３０】
・上記各実施形態の火花養生材１１に、火花養生材１１を手で持つための把手を設けるようにしてもよい。また、火花養生材１１に、作業位置において火花養生材１１を立てる台座や、火花養生材１１の背面側から支持する支持部を設けるようにしてもよい。
【００３１】
・第１実施形態では、支持体１２を、直方体又は立方体の形状とし、その内側に形成される空間に金属繊維圧縮体１３を収容した。これに代えて、２枚の支持体１２の間に金属繊維圧縮体１３を挟み、支持体１２の端を互いに固定するようにしてもよい。
【００３２】
・第１実施形態では、金属繊維集合体１５の全体を、金網からなる支持体１２で覆ったが、少なくとも溶接位置側となる正面側を金網で覆うようにすればよい。例えば、正面側に金網を配置し、その他の面は線材、金属板２０若しくはそれらの組み合わせで支持体１２を構成してもよい。
【００３３】
・上記実施形態では、金属繊維集合体１５を、複数のブロック体である金属繊維圧縮体１３によって構成した。これに代えて、１枚の金属繊維のブロック体によって金属繊維集合体１５を構成してもよい。
【００３４】
・上記各実施形態では、支持体１２に、１層分の金属繊維圧縮体１３を設けた。これに代えて、金属繊維圧縮体１３を複数層設けてもよい。また、その態様において、各層を、異なる種類の金属繊維圧縮体１３によって構成してもよい。例えば、各層において、層に応じて、金属繊維の直径を変更したり、空隙率を変更したり、材料を変更したりしてもよい。例えば、表面層の空隙率を、内部層の空隙率を高くすることにより、火花が入り込みやすく、離脱し難くすることができる。
【符号の説明】
【００３５】
１１…火花養生材、１２…支持体、１３…金属繊維圧縮体、１４…線材、１５…金属繊維集合体、２０…金属板、１００…溶接位置、１０１…溶接対象物。
【図１】
2020189329.tif 000004
【図２】
2020189329.tif 000005
【図３】
2020189329.tif 000006
【図４】
2020189329.tif 000007
【図５】
2020189329.tif 000008
【図６】
2020189329.tif 000009